(57)【要約】      （修正有）【課題】互いに大きさが異なる複数種類の容器に用いることができると共に汎用性が高い飲料温度測定装置を提供する。【解決手段】飲料温度測定装置は、缶Ｃに収容された飲料Ｄの温度を測定する飲料温度測定装置１であって、少なくとも一部が開口した缶Ｃに載せられて開口の少なくとも一部を覆う蓋部２と、蓋部２の下方に設けられて飲料Ｄの温度を測定するセンサ１０が置かれる台部３と、台部３に対する蓋部２の高さを調整可能な、台座３及び蓋部２を上下に貫通するボルト５ａ及びボルト５ａがねじ込まれるナット５ｂ、５ｃを含む調整機構５と、を備える。【選択図】図２
0003218462.tif 000002
【実用新案登録請求の範囲】
【請求項１】
容器に収容された飲料の温度を測定する飲料温度測定装置であって、
少なくとも一部が開口した前記容器に載せられて前記開口の少なくとも一部を覆う蓋部と、
前記蓋部の下方に設けられて前記飲料の温度を測定するセンサが置かれる台部と、
前記台部に対する前記蓋部の高さを調整可能な調整機構と、
を備える飲料温度測定装置。
【請求項２】
前記調整機構は、前記蓋部を貫通する軸部を含む、
請求項１に記載の飲料温度測定装置。
【請求項３】
前記蓋部と前記台部との間に位置する板状部材を更に備え、
前記調整機構は、前記板状部材に対する前記蓋部の高さを調整可能である、
請求項１又は２に記載の飲料温度測定装置。
【請求項４】
前記台部は、前記センサが置かれる穴部を有する、
請求項１〜３のいずれか一項に記載の飲料温度測定装置。
【請求項５】
前記台部は、前記センサの少なくとも一部が上下に挿通される貫通孔を有する、
請求項１〜４のいずれか一項に記載の飲料温度測定装置。
【考案の詳細な説明】
【技術分野】
【０００１】
本考案は、容器に収容された飲料の温度を測定する飲料温度測定装置に関する。
【背景技術】
【０００２】
特許文献１には、アロエ入りヨーグルトに含まれるアロエベラ葉肉の製造方法が記載されている。アロエベラは、嗜好性が高く良好な食感を有するアロエであって、熱帯地方で生育されるアロエである。この製造方法では、アロエベラの皮をむきダイス状にカットして洗浄したアロエベラ葉肉及びシロップを加熱撹拌釜に添加してシロップ漬けアロエベラ葉肉とし、シロップ漬けアロエベラ葉肉を撹拌及び加熱しつつ水を更に添加する。そして、シロップ漬けアロエベラ葉肉をスチールドラム缶及び耐熱性バッグを備えた容器に充填し、シロップ漬けアロエベラ葉肉を常温冷却する。このとき、データロガー付き温度計を、その棒状の温度センサーの先端部が耐熱性バッグの上端から４５ｃｍのところに位置するように設置し、シロップ漬けアロエベラ葉肉の温度を測定する。
【０００３】
データロガー付き温度計としては、一例として、円柱状のロガー本体と、ロガー本体から延びる棒状のセンサー部と、ロガー本体を支持した状態で飲料容器に入り込む支持部材とを備えたものが知られている。支持部材はロガー本体から斜め下方に放射状に延びると共に弾性を有する複数の線状部材を備えており、複数の線状部材が飲料容器の底面に載せられた状態で支持部材がロガー本体を支持する。
【先行技術文献】
【特許文献】
【０００４】
【特許文献１】特許第５５８６０６８号公報
【考案の概要】
【考案が解決しようとする課題】
【０００５】
前述したデータロガー付き温度計において、飲料容器の底面に載せられる複数の線状部材の長さは一定であるため、飲料容器の大きさによってロガー本体及びセンサー部の高さが変動する。すなわち、底が浅い飲料容器では飲料容器におけるロガー本体及びセンサー部の高さが高くなり、底が深い飲料容器では飲料容器におけるロガー本体及びセンサー部の高さが低くなる。
【０００６】
一方、飲料を容器に収容して飲料の製造を行うときに、飲料を加熱して殺菌を行うことが必要となる場合がある。このとき、容器の内部の飲料が所定の温度まで確実に昇温されていることを確認する必要がある。容器の内部の飲料には温度が最も上がりにくいコールドスポットと呼ばれる箇所があり、コールドスポットの温度が所定の温度まで昇温されていれば殺菌の質が確保されていると判断できる。
【０００７】
しかしながら、前述したように容器の大きさによってロガー本体及びセンサー部の高さが変動する場合には、容器の大きさに応じてセンサー部の高さが変わるため、コールドスポットの温度を適切に測定できないという問題が生じうる。従って、互いに大きさが異なる複数種類の容器に温度計を用いることができないという問題が起こりうる。すなわち、殺菌の質を確保するためには、前述した線状部材の長さが互いに異なる複数のデータロガー付き温度計を用いてコールドスポットの温度を測定する必要があるため、汎用性の点において改善の余地がある。
【０００８】
本考案は、互いに大きさが異なる複数種類の容器に用いることができると共に汎用性が高い飲料温度測定装置を提供することを目的とする。
【課題を解決するための手段】
【０００９】
本考案の一側面に係る飲料温度測定装置は、容器に収容された飲料の温度を測定する飲料温度測定装置であって、少なくとも一部が開口した容器に載せられて開口の少なくとも一部を覆う蓋部と、蓋部の下方に設けられて飲料の温度を測定するセンサが置かれる台部と、台部に対する蓋部の高さを調整可能な調整機構と、を備える。
【００１０】
前述した一側面に係る飲料温度測定装置では、蓋部の下方にセンサが置かれる台部が設けられ、蓋部が開口した容器に載せられるときに台部及びセンサは容器内部の飲料に浸漬される。従って、台部及びセンサを容器の内部の飲料に浸漬させて蓋部が容器に載せられることにより、台部及びセンサの位置を安定させた状態で飲料の温度を測定することができる。また、飲料温度測定装置は、台部に対する蓋部の高さを調整可能な調整機構を備える。この調整機構によって台部に載せられたセンサに対する蓋部の高さを調整することができる。従って、飲料を収容する容器の大きさが変わってもセンサに対する蓋部の高さを調整することにより、互いに大きさが異なる複数種類の容器に収容された飲料のコールドスポットの温度を適切に測定することができる。よって、互いに大きさが異なる複数種類の容器に飲料温度測定装置を用いることができるので、汎用性が高い飲料温度測定装置とすることができる。
【００１１】
また、調整機構は、蓋部を貫通する軸部を含んでもよい。この場合、蓋部を貫通する軸部によって台部に対する蓋部の高さを調整することができるので、１本の軸部によって蓋部の高さ位置の調整を安定して行うことができる。
【００１２】
また、蓋部と台部との間に位置する板状部材を更に備え、調整機構は、板状部材に対する蓋部の高さを調整可能であってもよい。この場合、調整機構によって板状部材に対する蓋部の高さを調整することにより、台部に対する板状部材の高さを固定することができる。従って、台部に置かれるセンサの配置スペースを確実に確保することができる。
【００１３】
また、台部は、センサが置かれる穴部を有してもよい。この場合、台部に形成された穴部にセンサが置かれることにより、台部からセンサが過度に突出することを抑制することができると共に、台部にセンサを安定して置くことができる。
【００１４】
また、台部は、センサの少なくとも一部が上下に挿通される貫通孔を有してもよい。この場合、センサの上下の向きを逆にして台部にセンサを置くことができる。例えば、円柱状のロガー本体とロガー本体から延びる棒状のセンサ部とを備えたセンサを用いる場合、棒状のセンサ部を貫通孔に挿通させた状態でセンサを配置することができる。従って、台部に対するセンサの配置態様を変更することができるので、飲料温度測定装置の汎用性を更に高めることができる。
【考案の効果】
【００１５】
本考案によれば、互いに大きさが異なる複数種類の容器に用いることができると共に汎用性が高い飲料温度測定装置を提供することができる。
【図面の簡単な説明】
【００１６】
【図１】実施形態に係る飲料温度測定装置が容器に装着された状態の例を示す斜視図である。
【図２】図１の飲料温度測定装置及び容器の縦断面図である。
【図３】図１の飲料温度測定装置を示す斜視図である。
【図４】図１の飲料温度測定装置の台部を示す斜視図である。
【図５】図１の飲料温度測定装置の台部、板状部材及び蓋部を示す斜視図である。
【考案を実施するための形態】
【００１７】
以下では、本考案の実施形態について図面を参照しながら説明する。図面の説明において、同一又は相当する要素には同一の符号を付し、重複する説明を適宜省略する。また、図面は、理解の容易のため、一部を簡略化又は誇張して描いている場合があり、寸法等は図面に記載のものに限定されない。
【００１８】
容器に収容された飲料の品質を保証するために飲料の温度を測定することは重要であり、飲料の温度が所定の温度に達していることを確認することによって飲料の殺菌が担保される。例えば、飲料のｐＨが４．０未満のものの殺菌では容器に収容された飲料の中心部の温度が６５℃以上の状態で１０分以上加熱されることが必要であり、飲料のｐＨが４．０以上のものの殺菌では容器に収容された飲料の中心部の温度が８５℃以上の状態で３０分間以上加熱されることが必要である。
【００１９】
本明細書において「容器」とは、例えば、缶、瓶又はペットボトル等、飲料を収容することが可能な容器である。以下では、容器が缶である例について説明する。「飲料」は、例えば、ビール、発泡酒、ノンアルコールビール、梅酒、ワイン、ＲＴＤ（Ready To Drink）、ジュース、清涼飲料水、豆乳飲料、乳酸菌飲料及びスポーツ飲料等の液体、ゼリー、ヨーグルト、プリン、スープ、及び流動食等、半固形のものを含んでもよい。また、「飲料」は、実際に飲用されるものだけでなく、実際に飲用されず試験的に容器に収容される液体を含んでいる。
【００２０】
本実施形態では、例えば、飲料を充填する充填工場において飲料が充填されると共に搬送ラインに沿って搬送される複数の容器から１つの容器が選択され、選択された当該容器に飲料温度測定装置１が装着されることによって当該容器の飲料の温度が測定される。当該容器の飲料の温度が所定の温度以上であれば、当該搬送ラインに沿って搬送される複数の容器において飲料の殺菌が確実になされていることが担保される。
【００２１】
図１は、缶Ｃ、及び缶Ｃに装着された飲料温度測定装置１を示す斜視図である。図２は、缶Ｃ及び飲料温度測定装置１を示す縦断面図である。例えば、缶Ｃは、飲料Ｄが充填された缶胴を含んでおり、後に缶蓋が被せられて巻き締め加工が行われる。缶Ｃは、例えば、底部Ｃ１と、底部Ｃ１の反対側に位置する開口部Ｃ２とを有する有底円筒状の金属缶である。開口部Ｃ２は、缶Ｃの上方に開口し、例えば缶Ｃの上端の全体を開口している。但し、缶Ｃは少なくとも一部が開口していればよく、缶Ｃの形状、大きさ及び材料は適宜変更可能である。
【００２２】
本実施形態に係る飲料温度測定装置１は、種々の形状、種々の大きさ、又は種々の材料の缶Ｃに対し、飲料の温度を測定することが可能である。飲料温度測定装置１は、缶Ｃに載せられる蓋部２と、缶Ｃの内部に位置する台部３と、蓋部２及び台部３の間に位置する板状部材４と、板状部材４に対する蓋部２の高さＨを調整可能な調整機構５と、台部３及び板状部材４を互いに接続する接続機構６とを備える。蓋部２、台部３及び板状部材４の材料は、例えば、共に樹脂であるが、適宜変更可能である。
【００２３】
図３は、飲料温度測定装置１を示す斜視図である。図２及び図３に示されるように、蓋部２は、缶Ｃに載せられると共に缶Ｃの開口部Ｃ２を覆う。蓋部２は、例えば開口部Ｃ２の全体を覆っているが、開口部Ｃ２の少なくとも一部を覆う蓋部であってもよい。蓋部２は、例えば、円板状の板状部２ａと、板状部２ａの外縁から下方に延び出す側部２ｂとを有する。
【００２４】
蓋部２は、板状部２ａが開口部Ｃ２を覆うと共に側部２ｂが缶Ｃの上端部を囲んだ状態で缶Ｃに装着される。板状部２ａの外縁から延び出す側部２ｂが缶Ｃの周方向に延びるように缶Ｃを囲むことにより、缶Ｃに蓋部２を安定して装着することが可能である。また、蓋部２は、後述する調整機構５の軸部５ａが挿通される挿通孔２ｃを有する。挿通孔２ｃは、例えば、板状部２ａの中心を含む領域に形成されている。
【００２５】
図４は、台部３を拡大して示す斜視図である。図２及び図４に示されるように、台部３は、センサ１０が置かれる台である。台部３は、例えば、センサ１０が配置されるセンサ配置部３ａと、後述するボルト６ａが挿通して接続機構６が接続される接続部３ｂとを有する。例えば、センサ配置部３ａは平面視における台部３の中央部分に設けられ、接続部３ｂはセンサ配置部３ａから水平方向に突出する。接続部３ｂは、例えば、センサ配置部３ａに対して一対に設けられ、一例として、一対の接続部３ｂはセンサ配置部３ａに対して互いに対称に設けられる。
【００２６】
例えば、平面視においてセンサ配置部３ａは円形状となっている。センサ配置部３ａは、センサ１０が入り込む穴部３ｃと、穴部３ｃの底面３ｄを上下に貫通する貫通孔３ｅとを有する。穴部３ｃは、例えば、センサ配置部３ａの中央を含む領域に設けられており。穴部３ｃは円筒穴形状とされている。一例として、センサ１０は、円柱状のロガー本体１１と、ロガー本体１１から延び出す棒状のセンサ部１２とを備える。
【００２７】
一例として、ロガー本体１１及びセンサ部１２は一体とされている。センサ部１２は、例えば、缶Ｃに収容された飲料Ｄの温度を測定し、センサ部１２によって測定された飲料Ｄの温度をロガー本体１１が記憶する。具体例として、ロガー本体１１が記憶する飲料Ｄの温度は、飲料温度測定装置１から取り外されたロガー本体１１が読み取り機を介して接続されたコンピュータにダウンロードされて当該コンピュータに取り込まれる。
【００２８】
センサ配置部３ａの貫通孔３ｅには、例えば、センサ部１２が挿通可能とされている。よって、センサ部１２を貫通孔３ｅに挿通させてセンサ部１２が下を向くようにセンサ１０を配置することが可能である。従って、センサ部１２を上に向けてセンサ１０を配置することができると共に、センサ部１２を下に向けてセンサ１０を配置することができるので、飲料Ｄの様々な箇所の温度を測定することが可能となる。
【００２９】
ところで、缶Ｃの内部の飲料Ｄには、コールドスポットと呼ばれる箇所が存在する。コールドスポットとは、飲料Ｄを加熱するときに温度が最も上がりにくい箇所を示しており、飲料Ｄの温度が最も低くなる箇所を示している。飲料Ｄの殺菌が適切に行われていることを担保するためには、飲料Ｄのコールドスポットの温度が所定の温度（例えば前述した６５℃又は８０℃）以上であることが必要である。コールドスポットは、缶Ｃの中心軸線Ｌ上であって、且つ缶Ｃの底面Ｃ３の中心と缶Ｃの高さ方向の中点Ｃ４との間に位置する。本実施形態では、台部３に載せられるセンサ１０のセンサ部１２の高さ位置が変更可能であるため、缶Ｃに収容された飲料Ｄのコールドスポットの温度を確実に測定することが可能である。
【００３０】
台部３の接続部３ｂは、センサ配置部３ａから左右両側のそれぞれに張り出している。接続部３ｂは、接続機構６のボルト６ａが挿通される孔部３ｆを有する。孔部３ｆは、例えば、台部３を上下に貫通している。接続機構６は、台部３の接続部３ｂと板状部材４とを互いに接続する機構であり、ボルト６ａと、板状部材４の上面４ａでボルト６ａがねじ込まれるナット６ｂとを有する。
【００３１】
図５は、台部３の下面３ｇ、板状部材４及び蓋部２を示す斜視図である。図２及び図５に示されるように、ボルト６ａは、台部３の下面３ｇに対向する頭部６ｃと、頭部６ｃから延び出すと共に孔部３ｆに挿通される雄螺子６ｄとを有する。頭部６ｃは、十字状に窪む凹部６ｅを有し、凹部６ｅにボルト６ａを回転させる工具（例えばドライバー）を挿入することによりナット６ｂへのボルト６ａのねじ込みを容易に行うことが可能である。
【００３２】
板状部材４は、例えば、四角形状（一例として長方形状）とされており、板状部材４の長手方向は、センサ配置部３ａ及び接続部３ｂが並ぶ方向と一致する。板状部材４は、接続機構６のボルト６ａが挿通される一対の第１挿通孔４ｂと、調整機構５の軸部５ａが挿通される第２挿通孔４ｃとを有する。各第１挿通孔４ｂは板状部材４を上下に貫通する。一対の第１挿通孔４ｂは、例えば、中心軸線Ｌに対して互いに対称となる位置に形成されている。第２挿通孔４ｃは、例えば、中心軸線Ｌを含む位置に形成されている。
【００３３】
ボルト６ａの頭部６ｃが台部３の下面３ｇに対向すると共にナット６ｂが板状部材４の上面４ａに対向した状態でナット６ｂに対するボルト６ａのねじ込み度合が調整されることにより、台部３に対する板状部材４の高さ位置を調整可能である。よって、大きさが異なるセンサ１０が配置される場合であっても、台部３と板状部材４の間にセンサ１０を配置するスペースを確実に確保することができる。
【００３４】
調整機構５は、板状部材４及び蓋部２を互いに接続する機構である。調整機構５は、軸部５ａと、蓋部２の上面２ｄで軸部５ａがねじ込まれる第１ナット５ｂと、軸部５ａの上端付近に設けられる第２ナット５ｃと、第１ナット５ｂ及び上面２ｄの間に位置するワッシャ５ｇとを有する。軸部５ａは、例えば、ボルトであり、ボルト６ａと同一の部品であってもよいし、ボルト６ａとは異なる部品であってもよい。なお、第２ナット５ｃは、調整機構５を指等で摘まみやすくするために設けられたナットであって、省略することも可能である。また、ワッシャ５ｇを省略することも可能である。
【００３５】
軸部５ａは、板状部材４の下面４ｄに対向する頭部５ｄと、頭部５ｄから延び出すと共に第２挿通孔４ｃに挿通される雄螺子５ｅとを有する。頭部５ｄは、前述した凹部６ｅと同様の凹部５ｆを有する。軸部５ａの頭部５ｄが板状部材４の下面４ｄに対向すると共に第１ナット５ｂが蓋部２の上面２ｄに対向した状態で第１ナット５ｂに対する軸部５ａのねじ込み度合が調整されることにより、板状部材４に対する蓋部２の高さＨが調整可能である。これにより、センサ１０（台部３）に対する蓋部２の高さ位置を調整することが可能である。
【００３６】
次に、本実施形態に係る飲料温度測定装置１から得られる作用効果について詳細に説明する。飲料温度測定装置１では、蓋部２の下方にセンサ１０が置かれる台部３が設けられ、蓋部２が開口した缶Ｃに載せられるときに台部３及びセンサ１０は缶Ｃの内部の飲料Ｄに浸漬される。従って、台部３及びセンサ１０を缶Ｃの内部の飲料Ｄに浸漬させて蓋部２が缶Ｃに載せられることにより、台部３及びセンサ１０の位置を安定させた状態で飲料Ｄの温度を測定することができる。
【００３７】
また、飲料温度測定装置１は、台部３に対する蓋部２の高さを調整可能な調整機構５を備える。調整機構５により、台部３に載せられたセンサ１０に対する蓋部２の高さを調整することができる。従って、飲料Ｄを収容する缶Ｃの大きさが変わっても、調整機構５の第１ナット５ｂの上下位置を変えてセンサ１０に対する蓋部２の高さを調整することにより、互いに大きさが異なる複数種類の缶Ｃに収容された飲料Ｄのコールドスポットの温度を適切に測定することができる。よって、互いに大きさが異なる複数種類の缶Ｃに飲料温度測定装置１を用いることができるので、汎用性が高い飲料温度測定装置１とすることができる。
【００３８】
また、調整機構５は、蓋部２を貫通する軸部５ａを含む。従って、蓋部２を貫通する軸部５ａによって台部３に対する蓋部２の高さを調整することができるので、１本の軸部５ａによって蓋部２の高さ位置の調整を安定して行うことができる。
【００３９】
また、蓋部２と台部３との間に位置する板状部材４を更に備え、調整機構５は、板状部材４に対する蓋部２の高さＨを調整可能である。従って、調整機構５によって板状部材４に対する蓋部２の高さＨを調整することにより、台部３に対する板状部材４の高さを固定することができる。従って、台部３に置かれるセンサ１０の配置スペースを確実に確保することができる。
【００４０】
また、台部３は、センサ１０が置かれる穴部３ｃを有する。従って、台部３に形成された穴部３ｃにセンサ１０が置かれることにより、台部３からセンサ１０が過度に突出することを抑制することができると共に、台部３にセンサ１０を安定して置くことができる。
【００４１】
また、台部３は、センサ１０の少なくとも一部（センサ部１２）が上下に挿通される貫通孔３ｅを有する。よって、センサ１０の上下の向きを逆にして台部３にセンサ１０を置くことができる。具体的には、円柱状のロガー本体１１とロガー本体１１から延びる棒状のセンサ部１２とを備えたセンサ１０を用いる場合、棒状のセンサ部１２を貫通孔３ｅに挿通させた状態でセンサ１０を配置することができる。従って、台部３に対するセンサ１０の配置態様を変更することができるので、汎用性を更に高めることができる。
【００４２】
また、調整機構５は軸部５ａ及び第１ナット５ｂを含んでおり、軸部５ａは第１ナット５ｂにねじ込まれるボルトである。よって、調整機構５を構成する部品がボルトナットを含むことにより、調整機構５の部品を汎用性が高い部品とすることができる。従って、汎用性が高い調整機構５とすることができる。接続機構６についても同様である。
【００４３】
以上、本考案に係る飲料温度測定装置の実施形態について説明したが、本考案は、前述した実施形態に限定されるものではなく、各請求項に記載した要旨を変更しない範囲において変形し、又は他のものに適用したものであってもよい。すなわち、本考案は、各請求項の要旨を変更しない範囲において種々の変更が可能であり、飲料温度測定装置を構成する各部品の形状、大きさ、数、材料及び配置態様は適宜変更可能である。
【００４４】
例えば、前述の実施形態では、ボルトである軸部５ａを有する調整機構５について説明したが、軸部はボルト以外のものであってもよい。例えば、ボルトである軸部５ａに代えて、丸棒状の軸部と、蓋部２の上面２ｄで当該軸部から拡径すると共に当該軸部に対する高さ位置を変更可能な拡径部と、を備えた調整機構であってもよい。更に、軸部を有しない調整機構であってもよく、台部に対する蓋部の高さを調整可能な調整機構であれば調整機構の構成は適宜変更可能である。接続機構の構成についても同様に適宜変更可能である。
【００４５】
また、前述の実施形態では、板状部２ａ及び側部２ｂを有する蓋部２について説明したが、蓋部の形状、大きさ及び配置態様は適宜変更可能である。台部及び板状部材についても同様である。更に、板状部材４は省略することも可能であり、蓋部及び台部が調整機構を介して直接接続されていてもよい。この場合、接続機構６を省略することも可能である。
【００４６】
また、前述の実施形態では、ロガー本体１１及びセンサ部１２を有するセンサ１０について説明したが、センサの種類、形状、大きさ、材料、数及び配置態様は適宜変更可能である。更に、前述の実施形態では、容器が缶Ｃである例について説明したが、容器は、瓶又はペットボトル等、缶以外のものであってもよい。
【符号の説明】
【００４７】
１…飲料温度測定装置、２…蓋部、２ａ…板状部、２ｂ…側部、２ｃ…挿通孔、２ｄ…上面、３…台部、３ａ…センサ配置部、３ｂ…接続部、３ｃ…穴部、３ｄ…底面、３ｅ…貫通孔、３ｆ…孔部、３ｇ…下面、４…板状部材、４ａ…上面、４ｂ…第１挿通孔、４ｃ…第２挿通孔、４ｄ…下面、５…調整機構、５ａ…軸部、５ｂ…第１ナット、５ｃ…第２ナット、５ｄ…頭部、５ｅ…雄螺子、５ｆ…凹部、５ｇ…ワッシャ、６…接続機構、６ａ…ボルト、６ｂ…ナット、６ｃ…頭部、６ｄ…雄螺子、６ｅ…凹部、１０…センサ、１１…ロガー本体、１２…センサ部、Ｃ…缶、Ｃ１…底部、Ｃ２…開口部、Ｃ３…底面、Ｃ４…中点、Ｄ…飲料、Ｌ…中心軸線。
【図１】
0003218462.tif 000003
【図２】
0003218462.tif 000004
【図３】
0003218462.tif 000005
【図４】
0003218462.tif 000006
【図５】
0003218462.tif 000007
【手続補正書】
【提出日】平成30年8月13日(2018.8.13)
【手続補正１】
【補正対象書類名】実用新案登録請求の範囲
【補正対象項目名】全文
【補正方法】変更
【補正の内容】
【実用新案登録請求の範囲】
【請求項１】
容器に収容された飲料の温度を測定する飲料温度測定装置であって、
少なくとも一部が開口した前記容器に載せられて前記開口の少なくとも一部を覆う蓋部と、
前記蓋部の下方に設けられて前記飲料の温度を測定するセンサが置かれる台部と、
前記台部及び前記蓋部を上下に貫通するボルト、及び前記ボルトがねじ込まれるナットを含む調整機構と、
を備え、
前記ナットに対する前記ボルトのねじ込み度合が調整されることによって前記台部に対する前記蓋部の高さが調整される、
飲料温度測定装置。
【請求項２】
前記調整機構は、前記蓋部を貫通する軸部を含む、
請求項１に記載の飲料温度測定装置。
【請求項３】
前記蓋部と前記台部との間に位置する板状部材を更に備える、
請求項１又は２に記載の飲料温度測定装置。
【請求項４】
前記台部は、前記センサが置かれる穴部を有する、
請求項１〜３のいずれか一項に記載の飲料温度測定装置。
【請求項５】
前記台部は、前記センサの少なくとも一部が上下に挿通される貫通孔を有する、
請求項１〜４のいずれか一項に記載の飲料温度測定装置。